(57)【要約】【課題】複数の部材が洗い場用床パンとされた場合にどの程度温感効果に相違を有するかを直接的に比較できる洗い場用床パンの温感効果比較装置を提供する。【解決手段】  この温感効果比較装置は、２個の部材Ｔ１、Ｔ２が隣り合わせで一体に接合されることにより洗い場用床パン１をなしている。また、この温感効果比較装置は、各部材Ｔ１、Ｔ２を同一の低温状態に保持する。【選択図】図２
2005325570.tif 000002
【特許請求の範囲】
【請求項１】
複数の部材が隣り合わせで一体に接合されることにより洗い場用床パンをなし、各該部材を同一の低温状態に保持することを特徴とする洗い場用床パンの温感効果比較装置。
【請求項２】
前記洗い場用床パンの裏面には各前記部材毎に等しく配置されて各該部材に伝熱可能に配管が固定され、該配管内には冷却水供給装置によって冷却水が通水するように構成されていることを特徴とする請求項１記載の洗い場用床パンの温感効果比較装置。
【発明の詳細な説明】
【技術分野】
【０００１】
本発明は洗い場用床パンの温感効果比較装置に関する。温感効果とは、人がその表面に触れた場合に冷たさや熱さをより感じにくい程度である。
【背景技術】
【０００２】
従来、繊維強化プラスチック（ＦＲＰ）製の基部と、この基部の表面に一体に設けられた加飾層とからなる洗い場用床パンが知られている（非特許文献１）。この床パンの表面には、周囲に互いに連続する流路が形成されて島状に突出する複数の凸部が形成されている。
【０００３】
この床パンは、基部がＦＲＰ製であることから、軽量性、高強度性等の優れた特質を発揮する。また、加飾層は床パンの加飾を行い、その粒状物質は、滑り難い特性を床パンの表面に付与する。そして、各凸部上の水が各流路に落下して集まることにより外部に排出されやすくされているため、床パンの表面が乾燥されやすくされている。
【０００４】
しかし、従来の床パンは、冬場にそれが日陰にあり、人がその表面に触れた場合には冷たさを感じやすいという不具合がある。このため、この床パンに対しては、その洗い場の表面に発泡ポリウレタンフォーム等からなるバスマットを設けることがよく行われている。こうすることにより、バスマットの無数の気孔が熱の移動を阻害するため、冷感を生じ難いという温感効果を生じる。
【０００５】
【非特許文献１】（株）ＩＮＡＸ「住宅設備機器／総合カタログ」（２００３−２００４、２００３年３月発行）第６６３頁
【発明の開示】
【発明が解決しようとする課題】
【０００６】
しかし、上記従来の床パンは、基部がＦＲＰ製であることにより軽量性、高強度性等の優れた特質を発揮するものの、温感効果を得ようとすれば、発泡ポリウレタンフォーム等からなる別体のマットをわざわざ表面に設けなければならず、使用者に面倒な作業を強いてしまう。
【０００７】
このため、出願人は、特願２００３−３９９９６３号等において、ＦＲＰ製の基部と、この基部の表面に一体に設けられ、無数の気孔を有して構成された断熱部と、断熱部の表面に一体に設けられた保護層とからなる温感部材を提案した。
【０００８】
この温感部材は、人が足裏等で保護層を介して触れる表面の断熱部が無数の気孔を有しており、各気孔が熱の移動を阻害する。このため、この温感部材を床パンとすれば、その床パンは、冬場において人が表面に触れた場合に冷たさをより感じにくく、効果的な温感効果を発揮する。また、この床パンにおいては、断熱部が一体になっているため、使用者が面倒を感じることなく、温感効果を享受することが可能になる。したがって、この床パンによれば、軽量性、高強度性等の優れた特質を維持しつつ、使用者が簡易に効果的な温感効果を享受することができる。
【０００９】
しかしながら、上記のような温感部材を洗い場用床パンとした場合、それが他の部材からなる洗い場用床パンとどの程度温感効果に相違を有するかを直接的に比較するための装置が従来は知られていない。
【００１０】
本発明は、上記従来の実情に鑑みてなされたものであって、複数の部材が洗い場用床パンとされた場合にどの程度温感効果に相違を有するかを直接的に比較できる洗い場用床パンの温感効果比較装置を提供することを解決すべき課題としている。
【課題を解決するための手段】
【００１１】
本発明の洗い場用床パンの温感効果比較装置は、複数の部材が隣り合わせで一体に接合されることにより洗い場用床パンをなし、各該部材を同一の低温状態に保持することを特徴とする。
【００１２】
この温感効果比較装置は、複数の部材が隣り合わせで一体に接合されることにより実際に使用されるものと同様な洗い場用床パンをなしている。そして、この洗い場用床パンの各部材が同一の低温状態に保持されているため、人が足裏等で交互に又は順次各部材の表面に触れることにより、一部材と他の部材との温感効果の差をその人自身が判断することができる。
【００１３】
したがって、本発明の温感効果比較装置によれば、複数の部材が洗い場用床パンとされた場合にどの程度温感効果に相違を有するかを直接的に比較することができる。
【００１４】
本発明の温感効果比較装置は、より具体的には、洗い場用床パンの裏面に各部材毎に等しく配置されて各部材に伝熱可能に配管が固定され得る。また、この温感効果比較装置は、配管内に冷却水供給装置によって冷却水が通水するように構成され得る。
【００１５】
配管は、銅系金属等の金属からなることが好ましい。この配管は伝熱性に優れるため、冷却水を通水させれば、各部材を同一の低温状態に迅速に保持することができる。
【００１６】
配管を各部材に伝熱可能に固定するためには、鉄粉等の金属粉末を混入したパテ、オーバーレイ材等を採用することができる。
【発明を実施するための最良の形態】
【００１７】
以下、本発明を具体化した実施例を図面を参照しつつ説明する。
【００１８】
実施例の温感効果比較装置は、図１及び図２に示すように、洗い場用床パン１と、市販の冷却水供給装置２とからなる。
【００１９】
床パン１は排水口１ａを中央奥側に有するものである。この床パン１は、排水口１ａを奥側に位置させた状態で見て、右側に新規な部材Ｔ１が設けられ、左側に従来から公知の部材Ｔ２が設けられている。部材Ｔ１、Ｔ２は互いに隣り合うように各端面が互いに接合され、これにより床パン１が成形されている。なお、部材Ｔ１、Ｔ２の接合強度を高めるため、床パン１の裏面には図示しないフレームが一体的に設けられている。
【００２０】
部材Ｔ１、Ｔ２の裏面全面には、幾重にも折り返された銅製の配管３、３がそれぞれ左右対称に固定されている。各配管３には３個の入水口３ａと３個の出水口３ｂとがそれぞれ床パン１の両側に開くように設けられている。なお、各配管３、３の入水口３ａから出水口３ｂまでの距離はおおよそ等しくされている。図２に示すように、各入水口３ａには冷却水供給装置２の給水管２ａが接続され、各出水口３ｂには冷却水供給装置２の還流管２ｂが接続されている。
【００２１】
この温感効果比較装置はおよそ以下のように製造したものである。まず、特願２００３−３９９９６３号等に開示された床パンを半分に切断し、部材Ｔ１を得る。また、非特許文献１等に開示された従来の床パンを半分に切断し、部材Ｔ２を得る。そして、図３に示すように、これらの部材Ｔ１、Ｔ２のリブ１ａの必要な箇所に貫通孔１ｂを開け、部材Ｔ１、Ｔ２の裏面に等しく配管３を配置する。
【００２２】
次いで、図４に示すように、鉄粉を混入したパテ４として、ナガセケムテックス（株）製の「デナスティックスチール」を用意する。そして、パテ４によって各部材Ｔ１、Ｔ２の裏面に配管３を固定する。
【００２３】
この後、エポキシ樹脂「ＬＹ−５６０」及びエポキシ硬化剤「ＨＹ−５６０」を重量比１００：１０で混合し、この混合物に電界鉄粉（７４μｍ）を１０〜２０重量％添加し、オーバーレイ材５を用意する。そして、各部材Ｔ１、Ｔ２の裏面にオーバーレイ材５をスプレーによって吹き付け、配管３をパテ４とともにオーバーレイ材５で被覆する。
【００２４】
最後に汎用のパテを用いて各部材Ｔ１、Ｔ２を接合する。こうして床パン１が得られる。得られた床パン１の配管３を冷却水供給装置２に接続する。
【００２５】
この温感効果比較装置は、２個の部材Ｔ１、Ｔ２が隣り合わせで一体に接合されることにより実際に使用されるものと同様な床パン１をなしている。そして、この床パン１の各部材Ｔ１、Ｔ２が同一の低温状態に保持されているため、人が足裏で交互に各部材Ｔ１、Ｔ２の表面に触れることにより、一方の部材Ｔ１と他方の部材Ｔ２との温感効果の差をその人自身が判断することができる。
【００２６】
したがって、この温感効果比較装置によれば、２個の部材Ｔ１、Ｔ２が床パン１とされた場合にどの程度温感効果に相違を有するかを直接的に比較することができる。特に、この温感効果比較装置は、伝熱性に優れた銅製の配管３を用い、かつその配管３を鉄粉を混入したパテ４及びオーバーレイ材５により各部材Ｔ１、Ｔ２の裏面に固定しているため、冷却水供給装置２によって冷却水を通水させることにより、各部材Ｔ１、Ｔ２を同一の低温状態に迅速に保持し、温感効果の相違を迅速にアピールできる。
【００２７】
以上において、本発明を実施例に即して説明したが、本発明は上記実施例に制限されるものではなく、その趣旨を逸脱しない範囲で適宜変更して適用できることはいうまでもない。
【産業上の利用可能性】
【００２８】
本発明は、温感効果のある洗い場用床パンの販売促進のための展示会等に利用可能である。
【図面の簡単な説明】
【００２９】
【図１】実施例の温感効果比較装置の平面図である。
【図２】実施例の温感効果比較装置の断面図である。
【図３】実施例の温感効果比較装置の部分拡大断面図である。
【図４】実施例の温感効果比較装置の部分拡大断面図である。
【符号の説明】
【００３０】
Ｔ１、Ｔ２…部材
１…洗い場用床パン
３…配管
２…冷却水供給装置
【図１】
2005325570.tif 000003
【図２】
2005325570.tif 000004
【図３】
2005325570.tif 000005
【図４】
2005325570.tif 000006